(57)【特許請求の範囲】
【請求項１】
ランプを搭載した走査体を副走査方向に移動させて原稿の画像を読み取る画像読取手段と、
前記走査体を光量モニタ板の下に移動して採取した光量基準値と、画像の読み取り前に前記走査体を前記光量モニタ板の下に移動して採取した光量測定値とに基づいて、前記ランプの光量変動を補正する光量変動補正手段と、
前記光量基準値を採取する場合と前記光量測定値を採取する場合で、それぞれ前記ランプを点灯してから画像データを取り込むまでの時間が等しくなるように制御する制御手段とを備え、
前記光量基準値を採取した後に白基準データを採取することを特徴とする画像読取装置。
【請求項２】
ランプを搭載した走査体を副走査方向に移動させて原稿の画像を読み取る画像読取手段と、
前記走査体を光量モニタ板の下に移動して採取した光量基準値と、画像の読み取り前に前記走査体を前記光量モニタ板の下に移動して採取した光量測定値とに基づいて、前記ランプの光量変動を補正する光量変動補正手段と、
前記光量基準値を採取する場合と前記光量測定値を採取する場合で、それぞれ前記ランプを点灯してから画像データを取り込むまでの時間が等しくなるように制御する制御手段とを備え、
前記光量モニタ板の下に複数のデータ取り込み位置を設定してなり、
前記制御手段は、前記複数のデータ取り込み位置に前記走査体を順に移動して前記光量基準値を採取するにあたり、各々のデータ取り込み位置ごとに、前記ランプを消灯状態にするとともに、当該ランプを消灯してからの経過時間が所定時間以上となった時点で前記ランプを点灯し、前記光量基準値を採取するための画像データを取り込むことを特徴とする画像読取装置。
【請求項３】
ランプを搭載した走査体を副走査方向に移動させて原稿の画像を読み取る画像読取手段と、
前記走査体を光量モニタ板の下に移動して採取した光量基準値と、画像の読み取り前に前記走査体を前記光量モニタ板の下に移動して採取した光量測定値とに基づいて、前記ランプの光量変動を補正する光量変動補正手段と、
前記光量基準値を採取する場合に前記ランプを点灯してからの経過時間が所定の時間に達した時点で前記光量基準値を採取するための画像データを取り込む第１の制御処理と、前記光量測定値を採取する場合に前記ランプを点灯してからの経過時間が前記所定の時間と同じ時間に達した時点で前記光量測定値を採取するための画像データを取り込む第２の制御処理とを行うことにより、前記光量基準値を採取する場合と前記光量測定値を採取する場合で、それぞれ前記ランプを点灯してから画像データを取り込むまでの時間が等しくなるように制御する制御手段とを備え、
前記制御手段は、前記光量基準値を採取するにあたって、前記ランプを消灯状態にするとともに、当該ランプを消灯してからの経過時間が所定時間以上となった時点で前記ランプを点灯し、前記光量基準値を採取するための画像データを取り込むことを特徴とする画像読取装置。
【発明の詳細な説明】
【０００１】
【発明の属する技術分野】
本発明は、原稿の画像を光学的に読み取る画像読取装置に関する。
【０００２】
【従来の技術】
一般に、画像読取装置は、スキャナ装置や複写機，ファクシミリ装置等の画像形成装置に広く用いられている。この種の画像読取装置では、プラテンガラスからなる原稿台に置かれた原稿の画像を、ＣＣＤ(Charge Coupled Device）イメージセンサ等の撮像素子によって主走査方向に読み取り走査する一方、キャリッジと呼ばれる走査体の移動によって副走査方向に読み取り走査する方式が採用されている。
【０００３】
画像読取装置で原稿の画像を読み取った場合は、光源となるランプの主走査方向照度ムラや、イメージセンサの画素毎の感度ムラなどを補正するためのシェーディング補正処理が行われる。このシェーディング補正処理には、白基準板を読み取ったときに得られる白基準データが用いられる。白基準データの採取は、ＣＣＤの出力レンジを一定に保持するためのゲインコントロールや、ＣＣＤの黒出力を一定レベルに合わせ込むためのオフセットコントロール、さらにはランプの光量変動を補正する際の基準となる光量基準値の採取などと共に、装置の電源投入時に行われる。
【０００４】
これに対して、実際に原稿の画像を読み取る際には、これに先立ってランプの光量を測定するためのデータ取り込みが行われる。そして、このデータ取り込みによって得られた光量測定値と装置の電源投入時に採取された光量基準値との比（光量変動比）を、シェーディング補正処理で使用される白基準データに積算することで光量変動補正が行われる。
【０００５】
【発明が解決しようとする課題】
ところで、装置の電源投入時に行われる光量基準値の採取と、画像の読み取り前（正確には読み取り開始の直前）に行われる光量測定値の採取は、いずれも光量モニタ板にランプの光を照射した際にＣＣＤイメージセンサからの出力信号に基づく１ライン分の画像データを取り込み、この画像データを所定の画素数で平均化することにより行われる。その際、ランプの立ち上がり特性の影響により、ランプを点灯（オン）してからの経過時間（ランプ点灯時間）に応じて光量が変動する。
【０００６】
これに対して従来の画像読取装置では、先ず、装置の電源投入時において、白基準板の下にキャリッジを移動し、この状態でランプを点灯して白基準データの採取を行った後、ランプを点灯したままキャリッジを光量モニタ板の下に移動して光量基準値の採取を行っている。そして、画像の読み取り時には、実際の読み取り動作に先立ってキャリッジをホームポジションから光量モニタ板の下に移動し、この状態でランプを点灯して光量測定値の採取を行っている。
【０００７】
そのため、ランプを点灯してから光量基準値を採取するまでの時間と、ランプを点灯してから光量測定値を採取するまでの時間に違いが生じ、これによって実際には光量が変動していないにもかかわらず、誤って光量変動補正を行ったり、実際の光量変動と異なる条件で光量変動補正を行ったりする恐れがあった。
【０００８】
本発明は、上記課題を解決するためになされたもので、その目的は、光量変動補正を的確に行うことができる画像読取装置を提供することにある。
【０００９】
【課題を解決するための手段】
本発明に係る画像読取装置は、ランプを搭載した走査体を副走査方向に移動させて原稿の画像を読み取る画像読取手段と、走査体を光量モニタ板の下に移動して採取した光量基準値と、画像の読み取り前に走査体を光量モニタ板の下に移動して採取した光量測定値とに基づいて、ランプの光量変動を補正する光量変動補正手段と、光量基準値を採取する場合と光量測定値を採取する場合で、それぞれランプを点灯してから画像データを取り込むまでの時間が等しくなるように制御する制御手段とを備え、光量基準値を採取した後に白基準データを採取するものである。
【００１０】
上記構成の画像読取装置においては、光量基準値を採取する場合と光量測定値を採取する場合で、それぞれランプを点灯してから画像データを取り込むまでの時間がほぼ等しくなるように制御することにより、ランプの立ち上がり特性に起因した光量変動の誤認を防止することが可能となる。
【００１１】
【発明の実施の形態】
以下、本発明の実施の形態について図面を参照しつつ詳細に説明する。
【００１２】
図１は本発明が適用される画像読取装置の構成例を示す概略図である。図示した画像読取装置１において、装置本体２の上部には原稿台となるプラテンガラス３が取り付けられ、さらにこのプラテンガラス３上には原稿突き当てガイド４、白基準板５及び光量モニタ板６が取り付けられている。
【００１３】
プラテンガラス３は、透明で平らなガラスプレートからなるもので、装置本体２の上部に形成された長方形の開口部分に嵌まり込む状態で取り付けられている。また、装置本体２の上部には、プラテンガラス３にセットされた原稿を上から押さえるための原稿押さえ部材（不図示）が開閉自在に取り付けられている。この原稿押さえ部材は、ユーザによって開閉操作されるもので、自動原稿送り装置（ＡＤＦ）を一体に備えるものもある。
【００１４】
原稿突き当てガイド４は、プラテンガラス３上にセットされる原稿の位置決めを行うために設けられたもので、白基準板５及び光量モニタ板６と共にプラテンガラス３に貼着した状態で取り付けられている。この取り付け状態では、プラテンガラス３と原稿突き当てガイド４との段差が実質１ｍｍ程度に抑えられている。原稿突き当てガイド４は、図２に示すように、主走査方向（図のＸ方向）に沿う第１の原稿突き当てガイド４Ａと副走査方向（図のＹ方向）に沿う第２の原稿突き当てガイド４Ｂの組み合わせで全体にＬ字形に配置されている。そして、プラテンガラス３上に原稿をセットする際には、互いに直角をなす原稿の一辺を第１の突き当てガイド４Ａに突き当てる一方、当該原稿の他辺を第２の原稿突き当てガイド４Ｂに突き当てることにより、プラテンガラス３上で原稿が位置決めされるようになっている。
【００１５】
白基準板５は、白基準データの採取に用いられる長尺状の板で、第１の原稿突き当てガイド４Ａに覆い隠された状態で主走査方向と平行に配置されている。光量モニタ板６は、光量基準値及び光量測定値の採取に用いられる長尺状の板で、白基準板５と共に第１の原稿突き当てガイド４Ａに覆い隠された状態で主走査方向と平行に配置されている。これら白基準板５と光量モニタ板６は、いずれも反射率が一様な白色の被測定基準面を有するもので、副走査方向において互いに隣り合う位置に平行状態で配置されている。また、副走査方向においては、プラテンガラス３上での画像の読み取り開始位置Ｐｓの近傍に光量モニタ板６が配置され、それよりも奥側（読み取り開始位置Ｐｓから離間する側）に白基準板５が配置されている。
【００１６】
白基準板５及び光量モニタ板６を上述のように配置する理由は、次のような事情による。即ち、白基準板５を利用した白基準データの採取が装置の電源投入時にのみ実施されるのに対し、光量モニタ板６を利用した光量測定値の採取が画像の読み取りを行うたびに実施される。また、画像の読み取りを行うにあたっては、フルレートキャリッジ１１をホームポジションＰｈから光量モニタ板６の下に移動し、そこで光量測定値の採取を実施してからキャリッジの移動を開始する必要がある。したがって、光量モニタ板６を読み取り開始位置Ｐｓの近くに配置した方がキャリッジの移動量が少なくなるため、読み取り開始までの時間を短縮することができる。
【００１７】
なお、白基準板５と光量モニタ板６とは互いに同様の構造をなすことから、これらを一体化した板で構成し、その中で白基準データの採取位置と光量基準値及び光量測定値の採取位置とを区分けしてもよい。
【００１８】
一方、装置本体２の内部には、原稿の画像を光学的に読み取る画像読取部７が設けられている。画像読取部７は、主として、光学走査系８、結像レンズ９及びＣＣＤイメージセンサ１０によって構成されている。光学走査系８は、走査体となるフルレートキャリッジ１１と、ハーフレートキャリッジ１２とを有する。フルレートキャリッジ１１にはランプ１３、リフレクタ１４及び第１ミラー１５が搭載され、ハーフレートキャリッジ１２には第２ミラー１６及び第３ミラー１７が搭載されている。
【００１９】
ランプ１３及びリフレクタ１４は、主走査方向に沿うライン状の光をプラテンガラス３上の照射対象物（プラテンガラス３にセットされた原稿、白基準板５、光量モニタ板６など）に向けて照射するもので、その照射対象物からの反射光が図中矢印で示すように第１ミラー１５、第２ミラー１６及び第３ミラー１７によって順に反射される。結像レンズ９は、第３ミラー１７によって反射された光を所定の倍率でＣＣＤイメージセンサ１０の受光面に結像させるものである。ＣＣＤイメージセンサ１０は、原稿の画像を読み取る際の読み取りセンサとなるもので、原稿からの反射光に応じたアナログの画像信号を生成する。
【００２０】
一方、フルレートキャリッジ１１及びハーフレートキャリッジ１２は、図示しないガイド機構（ガイドレール等）と動力伝達機構（例えば、ワイヤ，プーリ等）により、プラテンガラス３に沿う副走査方向に移動可能に支持されている。また、これらのキャリッジ１１，１２は、共通のキャリッジモータ（例えば、パルスモータ）を駆動源として、副走査方向に移動する構成となっている。この副走査方向への移動に際して、ハーフレートキャリッジ１２はフルレートキャリッジ１１の１／２の移動量（移動速度）をもって移動し、これによって副走査方向のいずれの位置にキャリッジ１１，１２が移動した状態でも、プラテンガラス３上の原稿面からＣＣＤイメージセンサ１０の受光面までの光路長が常に一定に保持されるようになっている。
【００２１】
図３は本発明の実施形態に係る画像読取装置の制御回路の構成例を示すブロック図である。図３において、ＣＣＤイメージセンサ１０からは、アナログの画像信号として、主走査方向に所定のピッチで並ぶ画素列の奇数番目の画素データ（以下、奇数データ）と偶数番目の画素データ（以下、偶数データ）との２系統の信号が出力される。そして、これら２系統のデータは、Ｓ／Ｈ（サンプルホールド）回路２１，２２でそれぞれサンプルホールドされる。
【００２２】
一方のＳ／Ｈ回路２１でサンプルホールドされた奇数データは、ＧＣＡ（ゲインコントロールアンプ）回路２３で増幅されてＭＰＸ（マルチプレクサ）回路２４に供給される。他方のＳ／Ｈ回路２２でサンプルホールドされた偶数データは、オフセット調整回路２５で奇数データと信号レベルが一致するようにオフセット調整された後、ＧＣＡ回路２６で増幅されてＭＰＸ回路２４に供給される。
【００２３】
ＭＰＸ回路２４は、奇数データと偶数データとを合成し、ＣＣＤイメージセンサ１０の画素列に対応した１系統のアナログ画像データに変換する。これにより、ＭＰＸ回路２４からは１ライン分のアナログの画像データが生成され、このアナログ画像データがオフセット調整回路２７に供給される。オフセット調整回路２７では、ＣＣＤの黒出力のレベル合わせためのオフセット調整が行われる。オフセット調整されたアナログ画像データは、ＡＤＣ（アナログ−デジタルコンバータ）回路２８でデジタル画像データに変換される。このデジタル画像データは、補正回路２９で最終的な黒画像データの値となるように補正処理されてシェーディング補正回路３０及び平均化回路３１に供給される。
【００２４】
シェーディング補正回路３０では、予め白基準板を読み取って採取された白基準データを用いてシェーディング補正処理が行われる。シェーディング補正処理に使用される白基準データは、当該白基準データを採取した際にシェーディング補正回路３０のメモリに記憶（保持）される。シェーディング補正された画像データは、後段の画像処理部（不図示）に供給される。
【００２５】
平均化回路３１では、補正回路２９によって補正処理された画像データの平均化処理が行われる。この平均化回路３１で平均化処理の対象となる画像データとしては、白基準データを採取するために取り込まれる画像データや、光量基準値を採取するために取り込まれる画像データ、さらには光量測定値を採取するために取り込まれる画像データなどが含まれる。この平均化回路３１での平均化処理により、白基準データ、光量基準値及び光量測定値が採取され、この採取された各々のデータがコントローラ３２に供給される。
【００２６】
コントローラ３２は、例えばＣＰＵ（中央演算処理装置）、ＲＯＭ(Read-Only Memory）、ＲＡＭ(Random Access Memory)等からなるもので、予め与えられた制御プログラムにしたがって種々の処理を行う。このコントローラ３２で行われる処理形態の中には、平均化回路３１から与えられた白基準データをシェーディング補正回路３０に供給する処理や、平均化回路３１から与えられた光量基準値をメモリに記憶する処理、さらには該メモリに記憶した光量基準値と平均化回路３１から与えられた光量測定値との比（光量変動比）を算出し、その算出結果をシェーディング補正回路３０に与える処理などが含まれる。これに対して、シェーディング補正回路３０では、コントローラ３２から与えられた光量変動比（光量変動のための積算係数）を、自身のメモリに記憶してある白基準データに積算して光量変動補正を行う。
【００２７】
また、コントローラ３２には、制御対象の一つとして、ランプ１３とキャリッジモータ３３とが接続されている。キャリッジモータ３３は、前述したとおりキャリッジ１１，１２を移動させる際の共通の駆動源となるものである。さらに、コントローラ３２には、キャリッジモータ３３の駆動により副走査方向にキャリッジ１１，１２を移動させるにあたって、フルレートキャリッジ１１の位置を検出するためのレジセンサ３４が接続されている。
【００２８】
図４は装置の電源投入時に行われる画像読取装置１の処理動作（立ち上げ動作）を示すフローチャートである。この処理動作フローはコントローラ３２からの制御指令に基づくものである。
【００２９】
先ず、装置の電源がオフ状態のときは、フルレートキャリッジ１１がホームポジションＰｈに停止している。このホームポジションＰｈは、プラテンガラス３上にセットされた原稿の主走査方向のサイズをＣＣＤイメージセンサ１０による１ラインの読み取り走査で検知し得るよう、副走査方向で原稿の位置決めを行う原稿突き当てガイド４Ａから所定の距離（例えば、２０ｍｍ程度）だけ読み取り領域内に進出した位置に設定されている。
【００３０】
このような状態から装置の電源を投入（オン）すると、先ず、キャリッジモータ３３の駆動により、白基準板５の下にフルレートキャリッジ１１を移動する（ステップＳ１）。次に、ランプ１３を点灯し、この状態でＣＣＤイメージセンサ１０から出力される信号レベル（白レベル）のゲイン調整（ゲインコントロール）を実施する（ステップＳ２，Ｓ３）。次いで、ランプ１３を消灯し、この状態でＣＣＤイメージセンサ１０から出力される信号レベル（黒レベル）のオフセット調整（オフセットコントロール）を実施する（ステップＳ４，Ｓ５）。
【００３１】
続いて、キャリッジモータ３３の駆動により、光量モニタ板６の下に設定された第１のデータ取り込み位置Ｐ１にフルレートキャリッジ１１を移動し、この位置で光量基準値の採取を行う（ステップＳ６，Ｓ７）。
【００３２】
ここで、光量モニタ板６の下には、それぞれ副走査方向に位置をずらしたかたちで３つのデータ取り込み位置Ｐ１，Ｐ２，Ｐ３が設定されている。これら３つのデータ取り込み位置Ｐ１，Ｐ２，Ｐ３は、読み取り倍率に対応するフルレートキャリッジ１１の助走開始位置となる。
【００３３】
さらに詳述すると、実際に画像を読み取るときのキャリッジ移動速度は、読み取り倍率が１００％を超える拡大時には等倍時（読み取り倍率が１００％のとき）よりも低速となり、逆に１００パーセント未満の縮小時には等倍時よりも高速となるように制御される。したがって、キャリッジの助走距離としては読み取り倍率が低くなるほど長く確保する必要があるため、それに応じてキャリッジの助走開始位置が読み取り開始位置Ｐｓから離れた位置に設定される。このことから、第１のデータ取り込み位置Ｐ１は読み取り倍率が低い場合（縮小側）に適用され、第３のデータ取り込み位置Ｐ３は読み取り倍率が高い場合（拡大側）に適用され、第２のデータ取り込み位置Ｐ２はその中間的な読み取り倍率のときに適用されることになる。
【００３４】
その後、第１のデータ取り込み位置Ｐ１で光量基準値の採取を終えたら、キャリッジモータ３３の駆動により、光量モニタ板６下の第２のデータ取り込み位置Ｐ２にフルレートキャリッジ１１を移動して光量基準値の採取を行う（ステップＳ８，Ｓ９）。次いで、キャリッジモータ３３の駆動により、光量モニタ板６下の第３のデータ取り込み位置Ｐ３にフルレートキャリッジ１１を移動して光量基準値の採取を行う（ステップＳ１０，Ｓ１１）。
【００３５】
続いて、キャリッジモータ３３の駆動により、再び白基準板５の下にフルレートキャリッジ１１を移動し、そこで白基準データの採取を行う（ステップＳ１２，Ｓ１３）。最後は、キャリッジモータ３３の駆動によりフルレートキャリッジ１１をホームポジションＰｈに移動して（戻して）スタンバイ状態となる（ステップＳ１４）。
【００３６】
図５は上記ステップＳ７，Ｓ９，Ｓ１１で行われる光量基準値の採取に係る処理手順を示すフローチャートである。先ず、ステップＳ２１では、ランプ１３を消灯（オフ）してからの経過時間（ランプ消灯時間）が３０ｍｓ以上になったか否かを判断する。そして、３０ｍｓ以上経過したと判断した時点でランプ１３を点灯（オン）する（ステップＳ２２）。ここで記述する“３０ｍｓ”（本発明における所定時間）は、ランプ１３を消灯してから当該ランプ１３の発光状態が安定した暗状態となるまでの所要時間を考慮して適宜設定されるものである。よって、使用するランプ１３の特性によっては、３０ｍｓよりも短く設定される場合や長く設定される場合もあり得る。
【００３７】
次に、ランプ１３を点灯してからの経過時間（ランプ点灯時間）が３０ｍｓに達したか否かを判断する（ステップＳ２３）。ここで記述する“３０ｍｓ”は、ランプ１３を点灯してから当該ランプ１３の発光状態が安定した明状態となるまでの所要時間を考慮して適宜設定されるもので、上述同様に使用するランプ１３の特性によって適正時間が異なる場合もあり得る。
【００３８】
次いで、先のステップＳ２３でランプ点灯時間が３０ｍｓに達したと判断すると、この時点で１ライン分の画像データを取り込む（ステップＳ２４）。ここで取り込まれる画像データは、光量モニタ板６にランプ１３の光を照射した際に得られる、ＣＣＤイメージセンサ１０からの出力を補正回路２９で補正処理したデータである。次いで、先に取り込んだ１ライン分の画像データのうち、ＣＣＤイメージセンサ１０の画素列の中で中央１００画素分の平均データを算出した後、ランプ１３を消灯する（ステップＳ２５，Ｓ２６）。ステップＳ２５での平均化の算出処理は平均化回路３１で行われ、これによって得られた平均データが光量基準値としてコントローラ３２に供給される。
【００３９】
以上の処理動作を上記ステップＳ７，Ｓ９，Ｓ１１でそれぞれ実行することにより、コントローラ３２のメモリには３つのデータ取り込み位置Ｐ１，Ｐ２，Ｐ３（キャリッジ助走開始位置）に対応した光量基準値が記憶されることになる。
【００４０】
図６は上記ステップＳ１３で行われる白基準データの採取に係る処理手順を示すフローチャートである。先ず、ランプ１３を点灯した後、点灯からの経過時間（ランプ点灯時間）が３０ｍｓに到達したか否かを判断する（ステップＳ３１，Ｓ３２）。そして、ランプ１３の点灯から３０ｍｓ経過したと判断すると、１ライン分の画像データ（補正回路２９で補正処理された画像データ）を平均化回路３１に取り込んだ後、そのデータ取り込み回数が規定回数（例えば、８回）に達したか否かを判断し、達していない場合は再び１ライン分の画像データを平均化回路３１に取り込む（ステップＳ３３，Ｓ３４）。
【００４１】
続いて、ランプ１３を点灯したままの状態で、キャリッジモータ３３の駆動により、白基準板５下の別の位置にフルレートキャリッジ１１を移動し（ステップＳ３５）、そこで再び規定回数にわたる１ライン分の画像データの取り込みを行う（ステップＳ３６，Ｓ３７）。これにより、平均化回路３１には規定回数の２倍に相当する１ライン分の画像データが順に取り込まれる。そうすると、平均化回路３１では、それまでに取り込まれた１ライン分の画像データの累積データを、規定回数に「２」を乗算した値（例えば、規定回数が８回であれば、その２倍の１６）で除すことにより、１ライン分の画像データの平均値を算出する（ステップＳ３８）。こうして平均化された１ライン分の画像データは白基準データとして採取される。最後は、ランプ１３を消灯して処理を抜ける（ステップＳ３９）。こうして採取された白基準データは、コントローラ３２からシェーディング補正回路３０へと供給され、シェーディング補正処理に利用される。
【００４２】
これに対して、実際に原稿の画像を読み取るにあたっては、先ず、フルレートキャリッジ１１をホームポジションＰｈに停止させたままで主走査方向の原稿サイズ検知を行う。次に、読み取り倍率に対応した光量モニタ板６下のデータ取り込み位置（例えば、第２のデータ取り込み位置Ｐ２）にフルレートキャリッジ１１を移動し、そこで上記ステップＳ２２〜Ｓ２５と同様にランプ１３を点灯して１ライン分の画像データを取り込むとともに、中央の１００画素分の平均データを算出することにより、光量測定値の採取を行う。さらに、この採取した光量測定値とこれに対応する光量基準値（光量測定値と同じデータ取り込み位置で採取された光量基準値）との比（光量変動比）をシェーディング補正回路３０に与えて光量変動補正を行う。また、１ライン分の画像データの取り込みを終えた段階で、フルレートキャリッジ１１をハーフレートキャリッジ１２と共に副走査方向に移動することにより、原稿の画像を読み取り走査する。
【００４３】
このように本実施形態に係る画像読取装置１においては、光量モニタ板６の下にフルレートキャリッジ１１を移動して光量基準値を採取するにあたり、先ず、ランプ１３を消灯状態にするとともに、ランプ１３を消灯してからの経過時間（ランプ消灯時間）が所定時間（上記の例では３０ｍｓ）以上となったか否かを判断している。そして、ランプ消灯時間が所定時間以上になったと判断した時点でランプ１３を点灯し、この点灯状態の下で光量基準値を採取するための１ライン分の画像データを取り込むようにしている。
【００４４】
これにより、装置の電源投入時に光量基準値を採取する場合と画像の読み取り前（読み取り直前）に光量測定値を採取する場合で、それぞれランプ１３を点灯してから画像データを取り込むまでの時間がほぼ等しくなるように制御される。そのため、ランプ１３の立ち上がり特性に起因した光量変動の誤認を防止し、光量変動補正を的確に行うことが可能となる。
【００４５】
また、本実施形態においては、光量モニタ板６の下に設定された３つのデータ取り込み位置Ｐ１，Ｐ２，Ｐ３にフルレートキャリッジ１１を順に移動して光量基準値を採取するにあたり、各々のデータ取り込み位置Ｐ１，Ｐ２，Ｐ３ごとに、ランプ１３を消灯状態にするとともに、ランプ１３を消灯してからの経過時間が所定時間（上記の例で３０ｍｓ）以上となった時点でランプ１３を点灯し、光量基準値を採取するための画像データを取り込むようにしている。そのため、各々のデータ取り込み位置Ｐ１，Ｐ２，Ｐ３において、ランプ１３を点灯してから画像データを取り込むまでの時間的な条件を一致させることができる。
【００４６】
さらに、本実施形態においては、装置の電源投入時において、フルレートキャリッジ１１を光量モニタ板６の下に移動して光量基準値を採取した後に、フルレートキャリッジ１１を白基準板５の下に移動して白基準データを採取するようにしている。これにより、光量基準値を採取する前にランプ１３が時間的に長く点灯される状況を回避できるため、ランプ温度の影響を抑えることができる。その結果、ランプ１３を点灯する際のランプ温度に関しても、画像の読み取り前に行われる光量測定値の採取と近い条件で、光量基準値を採取することが可能となる。特に、ランプ１３を点灯する直前のランプ温度は、ランプ１３を点灯してからの光量変動（立ち上がり特性）に大きな影響を与えるため、ランプ温度の影響を抑えることは、光量変動を正確に把握するうえで極めて重要な要素となる。
【００４７】
参考までに、装置の電源投入時において、フルレートキャリッジ１１を白基準板５の下に移動して白基準データを採取した後に、フルレートキャリッジ１１を光量モニタ板６の下に移動して光量基準値を採取した場合は、白基準データを採取する際のデータ取り込み回数やデータ取り込み位置の移動など関係でランプ１３が長く点灯されるため、これに応じてランプ温度の上昇も顕著化することになる。したがって、光量基準値を採取する際には、ランプ温度の影響で適正な光量基準値を採取できなくなる。また、ランプ温度の影響を抑えるには、ランプ温度が低下するまで十分待ってから光量基準値の採取を行うことになるため、時間的なロスが大きくなってしまう。
【００４８】
なお、上記実施形態においては、装置の電源投入時において、光量モニタ板６の下にフルレートキャリッジ１１を移動して光量基準値を採取した後、フルレートキャリッジ１１を白基準板５の下に移動して白基準データを採取するとしたが、白基準データの採取位置が光量基準値の採取位置と同じである場合は、光量基準値を採取した後、フルレートキャリッジ１１を移動させずに白基準データを採取することになる。
【００４９】
また、上記実施形態においては、光量基準値及び白基準データの採取を装置の電源投入時に行うとしたが、画像の読み取り前でかつ光量測定値を採取する前であれば、いずれのタイミングで光量基準値及び白基準データを採取してもかまわない。
【００５０】
【発明の効果】
以上説明したように本発明によれば、光量基準値を採取する場合と画像の読み取り前に光量測定値を採取する場合で、それぞれランプを点灯してから画像データを取り込むまでの時間がほぼ等しくなるため、ランプの立ち上がり特性に起因した光量変動の誤認を防止して光量変動補正を的確に行うことが可能となる。
【図面の簡単な説明】
【図１】  本発明が適用される画像読取装置の構成例を示す概略図である。
【図２】  図１に示す画像読取装置の部分的な平面図である。
【図３】  本発明の実施形態に係る画像読取装置の制御回路の構成例を示すブロック図である。
【図４】  電源投入時の処理手順を示すフローチャートである。
【図５】  光量基準値の採取に係る処理のフローチャートである。
【図６】  白基準データの採取に係る処理のフローチャートである。
【符号の説明】
１…画像読取装置、５…白基準板、６…光量モニタ板、７…画像読取部、８…光学走査系、１０…ＣＣＤイメージセンサ、１１…フルレートキャリッジ（走査体）、１３…ランプ、３０…シェーディング補正回路、３１…平均化回路、３２…コントローラ、３３…キャリッジモータ
【図１】
0003932849.tif 000002
【図２】
0003932849.tif 000003
【図３】
0003932849.tif 000004
【図４】
0003932849.tif 000005
【図５】
0003932849.tif 000006
【図６】
0003932849.tif 000007